(57)【要約】【課題】ＧＯＰ層とピクチャ層の間でライン２１データの付け換えを行うことなく、ＭＰＥＧ２−ＴＳからＶＲフォーマットへの変換やＭＰＥＧ２−ＴＳからＶＲフォーマットへの変換を高速に行うことのできる映像符号化装置を提供する。【解決手段】ライン２１データを含む映像信号からＭＰＥＧ２−ＴＳを生成するとき、映像信号からライン２１データを検出し、映像信号から符号化されたＭＰＥＧ２ビデオストリームのピクチャ層のextension_and_user_data（2）にＡＴＳＣ規格の形式でライン２１データを追加するとともに、ＧＯＰ層のextension_and_user_data（1）内に、ＶＲフォーマット仕様の同じ内容のライン２１データを追加する。このＭＰＥＧ２ビデオストリームをＭＰＥＧ２オーディオストリームと多重化し、ＭＰＥＧ２−ＴＳを生成する。【選択図】図３
2005244787.tif 000002
【特許請求の範囲】
【請求項１】
ＮＴＳＣ信号を入力する入力部と、
前記入力されたＮＴＳＣ信号をデジタル映像信号に変換する変換部と、
前記変換部により出力されたデジタル映像信号からライン２１データを検出するライン２１データ検出部と、
前記変換部により出力されたデジタル映像信号をＭＰＥＧ２ビデオストリームに符号化する符号化部と、
前記符号化部より出力されたＭＰＥＧ２ビデオストリームのピクチャ層およびＧＯＰ層の各々のユーザデータ領域に、前記ライン２１データ検出部により検出されたライン２１データをそれぞれ挿入するライン２１データ挿入部と
を具備することを特徴とする映像符号化装置。
【請求項２】
前記ライン２１データが挿入された前記ＭＰＥＧ２ビデオストリームからＭＰＥＧ２−ＴＳパケットを生成するＴＳパケット生成部
をさらに具備することを特徴とする請求項１に記載の映像符号化装置。
【請求項３】
前記ライン２１データが挿入された前記ＭＰＥＧ２ビデオストリームからＭＰＥＧ２−ＰＳパケットを生成するＰＳパケット生成部
をさらに具備することを特徴とする請求項１に記載の映像符号化装置。
【請求項４】
入力したＮＴＳＣ信号をデジタル映像信号に変換し、このデジタル映像信号からライン２１データを検出するとともに、このデジタル映像信号をＭＰＥＧ２ビデオストリームに符号化し、このＭＰＥＧ２ビデオストリームのピクチャ層およびＧＯＰ層の各々のユーザデータ領域に、前記検出されたライン２１データをそれぞれ挿入することを特徴とする映像符号化方法。
【請求項５】
前記ライン２１データが挿入されたＭＰＥＧ２ビデオストリームからＭＰＥＧ２−ＴＳパケットを生成することを特徴とする請求項４に記載の映像符号化方法。
【請求項６】
前記ライン２１データが挿入されたＭＰＥＧ２ビデオストリームからＭＰＥＧ２−ＰＳパケットを生成することを特徴とする請求項４に記載の映像符号化方法。
【発明の詳細な説明】
【技術分野】
【０００１】
本発明は、映像符号化装置と映像符号化方法に関するものである。
【背景技術】
【０００２】
ＮＴＳＣ信号では、１枚の画像が５２５本のラインで構成されている。最初の２１ラインはテレビの走査線を下から上に移動するための期間として使うため、実際の映像情報はなく、テレビでも表示はされない。この区間のことをＶＢＩ（Vertical Blanking Interval：垂直帰線区間）という。一部の放送では、このＶＢＩを利用してアスペクト比やコピー制御情報などの付加情報を送信している。日本では、ＥＩＡＪ  ＣＰＲ−１２０４という規格にしたがい、ライン２０にアスペクト比や録画時間、コピー制御情報などを入れている。これに対し、米国では、ＥＩＡ−６０８−Ｂという規格にしたがい、ライン２１にクローズドキャプションやコピー制御情報などを入れている。クローズドキャプションとは、米国の文字放送で、これにより画面に字幕が出るようになる。
【０００３】
通常、ＮＴＳＣ信号で伝送されてきた映像をＭＰＥＧ２−ＴＳ（Moving Picture Experts Group phase 2 - Transport Stream）に符号化する場合、ライン２１に入っているクローズドキャプションなどのデータは、ＡＴＳＣ（Advanced Television Systems Committee）規格にしたがってＭＰＥＧ２ビデオストリームのピクチャ層のユーザデータ領域に挿入される。
【０００４】
一方、ＭＰＥＧ２−ＰＳ（Program Stream）をＤＶＤ−ＲＡＭなどのＤＶＤ記録メディアに記録する場合に使われるＤＶＤ−Ｖｉｄｅｏフォーマット（DVD Specifications for Read-Only Disc）やＶＲフォーマット（DVD Specifications for DVD-RAM/DVD-RW/DVD-R for General Discs）の規格では、ライン２１データはＧＯＰ（Group of Pictures）層のユーザデータに挿入することとされている。
【０００５】
このため、ＭＰＥＧ２−ＴＳからＶＲフォーマットに変換する場合やＶＲフォーマットからＭＰＥＧ２−ＴＳに変換する場合に、ライン２１データを変換後も有効になるようにするためには、ビデオストリームを解析してＧＯＰ層とピクチャ層の間でライン２１データの付け換えが必要になり、変換処理に時間がかかるという問題がある。
【０００６】
ところで、特許文献１には、ライン２１データの中からコピー制御情報やアスペクト比などの表示制御情報を抽出し、情報パック（Ｃ＿ＰＣＫ）にこの情報を埋め込んで挿入する発明が開示されている。この情報パック（Ｃ＿ＰＣＫ）はＤＶＤ規格の拡張であり、ＰＳ（Program Stream）の仕様である。したがって、同じライン２１データをＭＰＥＧ２−ＴＳでの仕様とＭＰＥＧ２−ＰＳでの仕様の両方で同時に挿入するという本発明とは異なる。
【特許文献１】特開２００１−１９７４１８号公報（段落００９６等）
【０００７】
ここで、ＥＳ，ＴＳ，ＰＳについて説明を補足する。
ＭＰＥＧ２で圧縮されたビデオやオーディオなどのそれぞれのデータをＥＳ（Elementary Stream）という。また、このＥＳをパケット化したものをＰＥＳ（Packetized Elementary Stream）という。実際の映画などは、ビデオのＥＳやオーディオのＥＳなどから構成されたＥＳの集まりになっており、これらのＥＳは全て同期してデコードされなくてはいけない。このようなＥＳの集まりをプログラムと呼んでいる。これらの各ＥＳを多重化してプログラムの集まりとして１つのストリームにする場合に、ＴＳ（Transport Stream）とＰＳ（Program Stream）という２種類のストリームが定義されている。ＴＳは、主に放送や通信で使用するストリームで、複数のプログラムを入れることができる。パケット長は１８８バイト固定となっている。ＰＳは、主にメディアへの記録で使用するストリームで、１本のプログラムしか入れられない。また、パケット長は可変である。
【発明の開示】
【発明が解決しようとする課題】
【０００８】
前述の如く、ＭＰＥＧ２−ＴＳからＶＲフォーマットに変換する場合やＶＲフォーマットからＭＰＥＧ２−ＴＳに変換する場合に、ライン２１データを変換後も有効になるようにするためには、ビデオストリームを解析してＧＯＰ層とピクチャ層の間でライン２１データの付け換えが必要になり、変換処理に時間がかかるという問題があった。
【０００９】
本発明は、このような課題を解決するためのもので、ＧＯＰ層とピクチャ層の間でライン２１データの付け換えを行うことなく、ＭＰＥＧ２−ＴＳからＶＲフォーマットへの変換やＭＰＥＧ２−ＴＳからＶＲフォーマットへの変換を高速に行うことのできる映像符号化装置と映像符号化方法を提供することを目的としている。
【課題を解決するための手段】
【００１０】
上記の課題を解決するために、本発明の映像符号化装置は、ＮＴＳＣ信号を入力する入力部と、入力されたＮＴＳＣ信号をデジタル映像信号に変換する変換部と、変換部により出力されたデジタル映像信号からライン２１データを検出するライン２１データ検出部と、変換部により出力されたデジタル映像信号をＭＰＥＧ２ビデオストリームに符号化する符号化部と、符号化部より出力されたＭＰＥＧ２ビデオストリームのピクチャ層およびＧＯＰ層の各々のユーザデータ領域に、ライン２１データ検出部により検出されたライン２１データをそれぞれ挿入するライン２１データ挿入部とを具備することを特徴とする。
【００１１】
また、本発明は、ライン２１データが挿入された前記ＭＰＥＧ２ビデオストリームからＭＰＥＧ２−ＴＳパケットを生成するＴＳパケット生成部をさらに具備することを特徴とする。
【００１２】
さらに、本発明は、ライン２１データが挿入された前記ＭＰＥＧ２ビデオストリームからＭＰＥＧ２−ＰＳパケットを生成するＰＳパケット生成部をさらに具備することを特徴とする。
【００１３】
本発明では、ＭＰＥＧ２ビデオストリームのピクチャ層およびＧＯＰ層の各々のユーザデータ領域にライン２１データ検出部により検出されたライン２１データをそれぞれ挿入することで、ＭＰＥＧ２−ＴＳからＶＲフォーマットに変換する際に、ＭＰＥＧ２ビデオストリームのピクチャ層のユーザデータ領域に入っているライン２１データをＧＯＰ層のユーザデータに入れ換える処理が不要になり、より高速な変換が可能になる。
【００１４】
また、ＶＲフォーマットからＭＰＥＧ２−ＴＳに変換する際に、ＭＰＥＧ２ビデオストリームのＧＯＰ層のユーザデータ領域に入っているライン２１データをピクチャ層のユーザデータに入れ換える処理が不要になり、より高速な変換が可能になる。
【発明の効果】
【００１５】
本発明の映像符号化装置と映像符号化方法によれば、ＧＯＰ層とピクチャ層の間でライン２１データの付け換えを行うことなく、ＭＰＥＧ２−ＴＳからＶＲフォーマットへの変換やＭＰＥＧ２−ＴＳからＶＲフォーマットへの変換を高速に行うことができる。
【発明を実施するための最良の形態】
【００１６】
以下、図面を参照しながら、本発明の実施形態を説明する。
【００１７】
図１は、本発明の第１の実施形態にかかる映像符号化装置を採用したＨＤＤ（Hard Disk Drive）録画装置１００の構成を示す図である。
【００１８】
この実施形態のＨＤＤ録画装置１００は、テレビ映像をＭＰＥＧ２−ＴＳに変換してＨＤＤに記録し、さらにＨＤＤに記録されたＭＰＥＧ２−ＴＳをＶＲフォーマットへ変換してＤＶＤ−ＲＡＭドライブにおいて記録する機能を実装したものである。
【００１９】
図１に示すように、このＨＤＤ録画装置１００は、システム全体の制御を行うＣＰＵ（Central Processing Unit）１と、ＣＰＵ１上で実行するソフトウェアを記憶するＲＯＭ（Read Only Memory）２と、メインメモリとして使用されるＲＡＭ（Random Access Memory）３と、テレビ放送を受信するためのアンテナ５と、ＴＶチューナ６と、受信したＮＴＳＣ信号をデジタル映像信号に変換するＮＴＳＣデコーダ７と、オーディオＡＤＣ（Analog Digital Converter）８と、ＮＴＳＣデコーダ７にて得られたデジタル映像信号をＭＰＥＧ２−ＴＳに符号化するためのＭＰＥＧ２−ＴＳエンコーダ９と、ＭＰＥＧ２−ＴＳに符号化された映像をＤＶＤ−ＲＡＭドライブ１１およびＨＤＤ１２に転送するためのＩＤＥ（Integrated Drive Electronics）コントローラ１０と、ＤＶＤ−ＲＡＭドライブ１１と、ＨＤＤ１２と、ＤＶＤ−ＲＡＭドライブ１１およびＨＤＤ１２に記録されたＭＰＥＧ２−ＴＳをデコードするＭＰＥＧ２−ＴＳデコーダ１３と、デコードしたデジタル映像信号をＮＴＳＣ信号に変換するＮＴＳＣエンコーダ１５と、オーディオＤＡＣ（Digital Analog Converter）１６と、Ｉ２Ｃコントローラ１７と、グラフィックコントローラ４とを備えている。
【００２０】
次に、図２を参照して、このＨＤＤ録画装置１００において、アンテナ５を通じて受信したテレビジョン映像をＨＤＤ１２に録画する処理の流れを説明する。
【００２１】
アンテナ５、ＴＶチューナ６を通じて受信したＮＴＳＣ信号は、ＮＴＳＣデコーダ７でＩＴＵ−Ｒ  ＢＴ．６５６規格のデジタル映像信号に変換され、ＭＰＥＧ２−ＴＳエンコーダ９に入力される。ＭＰＥＧ２−ＴＳエンコーダ９の内部では、まずＶＢＩ情報検出部１８で、ライン２１にＥＩＡ−６０８−Ｂ仕様で入っているデータが検出される。
【００２２】
ＥＩＡ−６０８−Ｂは、ライン２１にクローズドキャプションやコピー制御情報などを挿入する方式を定義した規格である。この規格では、図１０に示すような波形によって、ライン２１の信号に７ｂｉｔの数値を２個ずつ入れられるようになっている。１ｂｉｔはパリティビットとなっている。このため、各フィールドごとに２文字づつのデータを挿入することができ、この領域にクローズドキャプションやコピー制御情報などを入れるようになっている。
【００２３】
ＮＴＳＣデコーダ７を通して得られたデジタル映像信号は、ＭＰＥＧ２ビデオエンコードモジュール１９でＭＰＥＧ２ビデオストリームにエンコードされる。そして、ピクチャ層への追加モジュール２０にて、ＭＰＥＧ２ビデオストリームのピクチャ層のユーザデータ領域に、ＶＢＩ情報検出部１８によって検出されたライン２１データがＡＴＳＣ５３規格に従って挿入される。続いて、ＧＯＰ層への追加モジュール２１にて、ＭＰＥＧ２ビデオストリームのＧＯＰ層のユーザデータ領域に、同じライン２１データが１ＧＯＰ（Group of Pictures）分まとめてＶＲフォーマットで規定されている形式で挿入される。最後に、ＭＰＥＧ２ビデオストリームは、ＭＰＥＧ２−ＴＳ生成モジュール２２で、ＭＰＥＧ２オーディオストリームと多重化されてＭＰＥＧ２−ＴＳとして出力される。このＭＰＥＧ２−ＴＳはＣＰＵ１によってＩＤＥコントローラ１０を通してＨＤＤ１２に記録される。
【００２４】
これにより、図３に示すように、ピクチャ層のユーザデータであるextension_and_user_data（2）３８内とＧＯＰ層のユーザデータであるextension_and_user_data（1）３４内に同じ内容のライン２１データ３９，３５がそれぞれ挿入されたＭＰＥＧ２ビデオストリーム３１が得られる。
【００２５】
図３に示すように、ＭＰＥＧ２ビデオストリーム３１はＧＯＰ３２と呼ばれる複数の絵の集合で構成されており、本システムでは１５枚の画面をひとまとめにしたものになっている。ＧＯＰ３２の先頭にはＧＯＰヘッダ３３があり、その後にはextension_and_user_data（1）３４があり、その後に各画面のデータ３７，３８，４０が１ＧＯＰの枚数分並んでいる。そしてextension_and_user_data（1）３４の中にＶＲフォーマット規格の形式でライン２１データ３５が配置されている。図４は、このＧＯＰ層のextension_and_user_data（1）内に配置された、ＶＲフォーマット仕様のライン２１データの形式を示している。ここには、１ＧＯＰが含む画面数分のライン２１データがまとめて置かれている。
【００２６】
また、ＧＯＰ３２内の画面データは、pictureヘッダ３６、picture_coding_extension３７、extension_and_user_data（2）３８、picture_data ４０で構成されている。そして、extensions_and_user_data（2）３８にＡＴＳＣ規格の形式でライン２１データ３９が配置されている。図５は、このピクチャ層のextension_and_user_data（2）内に配置されたＡＴＳＣ仕様のライン２１データ３９の形式を示している。ここで、５１はPicture User Data Syntax、５２および５３がライン２１データである。ここに置かれるライン２１データ３９はpicture_data ４０にある画面に付いている１画面分のデータである。
【００２７】
次に、ＨＤＤ１２に録画されたＭＰＥＧ２−ＴＳをＤＶＤ−ＲＡＭドライブ１１に記録する処理を説明する。図６は、この記録処理の手順を示す図である。
【００２８】
まず、ＨＤＤ１２内に記録されたＭＰＥＧ２−ＴＳは、ＩＤＥコントローラ１０を通じてＲＡＭ３にロードされる（ステップ６１）。ＣＰＵ１は、ＲＡＭ３上で、ＭＰＥＧ２−ＴＳをＶＲフォーマットに変換した後（ステップ６２）、ＲＡＭ３からＩＤＥコントローラ１０を通じてＤＶＤ−ＲＡＭドライブ１１にデータを転送する（ステップ６３）。
【００２９】
ここで、ＶＲフォーマットはＭＰＥＧ２−ＰＳなので、ＭＰＥＧ２−ＴＳからＶＲフォーマットへの変換は、ＭＰＥＧ２−ＴＳからＭＰＥＧ２−ＰＳへの変換（ＴＳ→ＰＳ変換）（ステップ６２−１，６２−２）と、ＭＰＥＧ２−ＰＳからＶＲフォーマットへの変換（ＰＳ→ＶＲフォーマット変換）（ステップ６２−３）とで実現される。また、ＴＳ→ＰＳ変換は、いったんＭＰＥＧ２−ＴＳをＥＳ（Elementarty Stream）に戻した後（ステップ６２−１）、ＥＳからＰＳに変換する（ステップ６２−２）ことによって行うことが可能である。
【００３０】
この際、ＨＤＤ１２から読み出されたＭＰＥＧ２−ＴＳには、ＶＲフォーマット仕様のライン２１データが挿入されているため、ＧＯＰ層とピクチャ層の間でライン２１データを付け換える必要はない。これにより、ＭＰＥＧ２−ＴＳからＶＲフォーマットへの変換をより高速に行うことが可能になる。
【００３１】
次に、本発明の第２の実施形態を説明する。
【００３２】
図７は、本発明の第２の実施形態にかかる映像符号化装置を採用したＨＤＤ録画装置の構成を示す図である。
【００３３】
この実施形態のＨＤＤ録画装置２００は、テレビ映像をＭＰＥＧ２−ＰＳに変換してＨＤＤに記録し、さらにＨＤＤに記録されたＭＰＥＧ２−ＰＳをＭＰＥＧ２−ＴＳへ変換してＬＡＮ経由でＰＣに転送する機能を実装したものである。
【００３４】
図７に示すように、このＨＤＤ録画装置２００は、システム全体の制御を行うＣＰＵ１と、ＣＰＵ１上で実行するソフトウェアを記憶するＲＯＭ２と、メインメモリとして使用されるＲＡＭ３と、テレビ放送を受信するためのアンテナ５と、ＴＶチューナ６と、受信したＮＴＳＣ信号をデジタル映像信号に変換するＮＴＳＣデコーダ７と、オーディオＡＤＣ８と、ＮＴＳＣデコーダ７にて得られたデジタル映像信号をＭＰＥＧ２−ＰＳに符号化するためのＭＰＥＧ２−ＰＳエンコーダ７１と、ＭＰＥＧ２−ＰＳに符号化された映像をＨＤＤ１２に転送するためのＩＤＥコントローラ１０と、ＤＶＤ−ＲＡＭドライブ１１と、ＨＤＤ１２と、ＨＤＤ１２に記録されたＭＰＥＧ２−ＰＳをデコードするＭＰＥＧ２−ＰＳデコーダ７２と、デコードしたデジタル映像信号をＮＴＳＣ信号に変換するＮＴＳＣエンコーダ１５と、オーディオＤＡＣ１６と、Ｉ２Ｃコントローラ１７と、グラフィックコントローラ４と、ＬＡＮコントローラ７３と、ＬＡＮポート７４とを備えている。
【００３５】
次に、図８を参照して、このＨＤＤ録画装置２００において、アンテナ５を通じて受信したテレビジョン映像をＨＤＤ１２に録画する処理の流れを説明する。
【００３６】
アンテナ５、ＴＶチューナ６を通じて受信したＮＴＳＣ信号は、ＮＴＳＣデコーダ７でＩＴＵ−Ｒ  ＢＴ．６５６規格のデジタル映像信号に変換され、ＭＰＥＧ２−ＰＳエンコーダ７１に入力される。ＭＰＥＧ２−ＰＳエンコーダ７１の内部では、まずＶＢＩ情報検出部１８で、ライン２１にＥＩＡ−６０８−Ｂ仕様で入っているデータが検出される。
【００３７】
ＮＴＳＣデコーダ７を通して得られたデジタル映像信号は、ＭＰＥＧ２ビデオエンコードモジュール１９でＭＰＥＧ２ビデオストリームにエンコードされる。そして、ピクチャ層への追加モジュール２０にて、ＭＰＥＧ２ビデオストリームのピクチャ層のユーザデータ領域に、ＶＢＩ情報検出部１８によって検出されたライン２１データがＡＴＳＣ５３規格に従って挿入される。続いて、ＧＯＰ層への追加モジュール２１にて、ＭＰＥＧ２ビデオストリームのＧＯＰ層のユーザデータ領域に、同じライン２１データが１ＧＯＰ（Group of Pictures）分まとめてＶＲフォーマットで規定されている形式で挿入される。最後に、ＭＰＥＧ２ビデオストリームは、ＭＰＥＧ２−ＰＳ生成モジュール２３で、ＭＰＥＧ２オーディオストリームと多重化されてＭＰＥＧ２−ＰＳとして出力される。このＭＰＥＧ２−ＰＳはＣＰＵ１によってＩＤＥコントローラ１０を通してＨＤＤ１２に記録される。これにより、図３に示したように、ピクチャ層のユーザデータであるextension_and_user_data（2）３８内とＧＯＰ層のユーザデータであるextension_and_user_data（1）３４内に同じ内容のライン２１データ３９，３５がそれぞれ挿入されたＭＰＥＧ２ビデオストリーム３１が得られる。
【００３８】
次に、ＨＤＤ１２に録画されたＭＰＥＧ２−ＰＳをＬＡＮ経由で外部のＰＣに送信する処理を説明する。
【００３９】
図９は、この送信処理の手順を示す図である。
【００４０】
まず、ＨＤＤ１２内に記録されたＭＰＥＧ２−ＰＳは、ＩＤＥコントローラ１０を通じてＲＡＭ３にロードされる（ステップ９１）。ＣＰＵ１は、ＲＡＭ３上で、ＭＰＥＧ２−ＰＳをＭＰＥＧ２−ＴＳに変換した後（ステップ９２）、ＲＡＭ３からＲＴＰプロトコルによってＬＡＮコントローラ７３およびＬＡＮポート７４を通じてＰＣにデータを転送する（ステップ９３，９４，９５）。ここで、ＭＰＥＧ２−ＰＳからＭＰＥＧ２−ＴＳへの変換は、いったんＭＰＥＧ２−ＰＳをＥＳ（Elementarty Stream）に戻した後（ステップ９２−１）、ＥＳからＴＳに変換する（ステップ９２−２）ことによって行うことが可能である。
【００４１】
この際、ＨＤＤ１２から読み出されたＭＰＥＧ２−ＰＳには、ＡＴＳＣ仕様のライン２１データが挿入されているため、ＧＯＰ層とピクチャ層の間でライン２１データを付け換える必要はない。これにより、ＶＲフォーマットからＭＰＥＧ２−ＴＳへの変換をより高速に行うことが可能になる。
【００４２】
なお、ＲＴＰ（Real-Time Transport Protocol）は、ＩＰネットワーク上で音声や映像などをリアルタイムで転送するための技術の規格である。この方式では、映像や音声のデータをブロックに分割し、タイムスタンプやＳＳＲＣ(Synchronization Source Identifier:同期送信元識別子)とともにパケット化してＵＤＰによって伝送する。受信側は、送信側と同じ速度のクロックを持ち、付加されたタイムスタンプによってジッタの吸収をおこなう。また、ＲＴＰで送られるデータに、複数の映像や音声が含まれる場合、ＳＳＲＣによって、どの映像と音声を同期させなければいけないかという事を判別できるようになっている。
【００４３】
本発明は、上述の実施形態にのみ限定されるものではなく、本発明の要旨を逸脱しない範囲内において種々変更を加え得ることは勿論である。
【図面の簡単な説明】
【００４４】
【図１】本発明の第１の実施形態にかかる映像符号化装置を採用したＨＤＤ録画装置の構成を示す図である。
【図２】図１のＨＤＤ録画装置においてテレビジョン映像をＨＤＤに録画する処理の流れを示す図である。
【図３】ライン２１データが追加されたＭＰＥＧ２ビデオストリームのフォーマットを示す図である。
【図４】図３のＧＯＰ層のextension_and_user_data（1）内に配置されたＶＲフォーマット仕様のライン２１データの形式を示す図である。
【図５】図３のピクチャ層のextension_and_user_data（2）内に配置されたＡＴＳＣ仕様のライン２１データの形式を示す図である。
【図６】図１のＨＤＤ録画装置においてＨＤＤに録画されたＭＰＥＧ２−ＴＳをＤＶＤ−ＲＡＭドライブに記録する処理の手順を示すフローチャートである。
【図７】本発明の第２の実施形態にかかる映像符号化装置を採用したＨＤＤ録画装置の構成を示す図である。
【図８】図７のＨＤＤ録画装置においてテレビジョン映像をＨＤＤに録画する処理の流れを示す図である。
【図９】図７のＨＤＤ録画装置においてＨＤＤに録画されたＭＰＥＧ２−ＰＳをＬＡＮ経由で外部のＰＣに送信する処理する手順を示すフローチャートである。
【図１０】ライン２１の信号波形を示す図である。
【符号の説明】
【００４５】
１…ＣＰＵ、５…ＴＶアンテナ、６…ＴＶチューナ、７…ＮＴＳＣデコーダ、９…ＴＳエンコーダ、１１…ＤＶＤ−ＲＡＭドライブ、１２…ＨＤＤ、１３…ＭＰＥＧ２−ＴＳデコーダ、１５…ＮＴＳＣエンコーダ、１８…ＶＢＩ情報検出部、１９…ＭＰＥＧ２ビデオエンコードモジュール、２０…ピクチャ層への追加モジュール、２１…ＧＯＰ層への追加モジュール、２２…ＭＰＥＧ２−ＴＳ生成モジュール、２３…ＭＰＥＧ２−ＰＳ生成モジュール、３１…ＭＰＥＧ２ビデオストリーム、３２…ＧＯＰ、３３…ＧＯＰヘッダ、３４…ユーザデータ（extension_and_user_data（1））、３８…ユーザデータ（extension_and_user_data（2））、３５，３９…ライン２１データ、７１…ＭＰＥＧ２−ＰＳエンコーダ、７２…ＭＰＥＧ２−ＰＳデコーダ、７３…ＬＡＮコントローラ、７４…ＬＡＮポート、１００…ＨＤＤ録画装置
【図１】
2005244787.tif 000003
【図２】
2005244787.tif 000004
【図３】
2005244787.tif 000005
【図４】
2005244787.tif 000006
【図５】
2005244787.tif 000007
【図６】
2005244787.tif 000008
【図７】
2005244787.tif 000009
【図８】
2005244787.tif 000010
【図９】
2005244787.tif 000011
【図１０】
2005244787.tif 000012